(57)【要約】      （修正有）【課題】異なる無線アクセス技術（ＲＡＴ）の下で配備された無線アクセスネットワーク（ＲＡＮ）間のハンドオフを実装するための方法および装置を提供する。【解決手段】無線送信／受信ユニット（ＷＴＲＵ）１５０は、ＲＡＴをサポートするために、少なくとも２つの無線ユニットを備える。それぞれのＲＡＮは、ＲＡＮのカバレッジエリアにおいてコロケートされたＲＡＮのリストをＷＴＲＵに送信する。ＷＴＲＵは、リストを格納し、ハンドオフ基準がコロケートされたＲＡＮの１つにより満たされるかどうかを判定する。次いで、ＷＴＲＵは、現在のＲＡＮからターゲットＲＡＮ１１０ａへのハンドオフを、ハンドオフ基準がターゲットＲＡＮによって満たされる場合に開始する。【選択図】図１
2014003643.tif 000002
【特許請求の範囲】
【請求項１】
無線送信／受信ユニット（ＷＴＲＵ）における使用のための方法であって、
前記ＷＴＲＵが、２つ以上の技術タイプのアクセスネットワークに関連するアクセスネットワーク情報を含むアクセスネットワーク情報メッセージを受信することであって、前記アクセスネットワーク情報は、各々のアクセスネットワークに対するハンドオーバポリシーを含むことと、
前記ＷＴＲＵが、前記アクセスネットワーク情報に基づいてターゲットアクセスネットワークを選択することと、
前記ＷＴＲＵが、前記ハンドオーバポリシーに基づいて、前記ターゲットアクセスネットワークへのハンドオーバを開始することと
を備えることを特徴とする方法。
【請求項２】
請求項１に記載の方法であって、
前記ＷＴＲＵが、前記アクセスネットワーク情報が利用可能であることを示すメッセージを受信することをさらに備えることを特徴とする方法。
【請求項３】
請求項１に記載の方法であって、
前記ＷＴＲＵが、前記アクセスネットワーク情報の要求を示すアクセスネットワーク情報要求メッセージを送信することをさらに備え、
前記アクセスネットワーク情報メッセージは、前記アクセスネットワーク情報要求メッセージに応答するものであることを特徴とする方法。
【発明の詳細な説明】
【技術分野】
【０００１】
本発明は、無線通信システムに関する。より詳細には、本発明は、異なる無線アクセス技術（ＲＡＴ）の下で配備された無線アクセスネットワーク（ＲＡＮ）間のハンドオフを実装するための方法および装置に関する。
【背景技術】
【０００２】
さまざまな種類のサービスを提供するために、さまざまな種類の無線アクセスシステムが開発されてきた。無線アクセスシステムのいくつかの例は、無線ローカルエリアネットワーク（ＷＬＡＮ）（ＩＥＥＥ８０２ベースのネットワークなど）、およびセルラーネットワーク（ユニバーサルモバイルテレコミュニケーションシステム（ＵＭＴＳ）地上無線アクセスネットワーク（ＵＴＲＡＮ）、発展型ＵＴＲＡＮ（Ｅ−ＵＴＲＡＮ）、ＧＰＲＳ／ＥＤＧＥ無線アクセスネットワーク（ＧＥＲＡＮ）など）を含む。これらのネットワークのそれぞれは、特定の用途向けに開発され、仕立てられている。
【発明の概要】
【発明が解決しようとする課題】
【０００３】
企業、住居、および公の領域で無線通信ネットワークが広く採用され、そのようなネットワークのユーザーが一方のネットワークから他方のネットワークへと移動するとき、継続的接続性をサポートすることができる。新たに出現した「常時オン」シナリオでは、無線送信／受信ユニット（ＷＴＲＵ）（すなわち、移動局（ＭＳ））は、複数の異機種ネットワークをサポートする必要がある。それゆえ、これらのネットワーク間のシームレスないハンドオフが望まれる。
【課題を解決するための手段】
【０００４】
本発明は、異なるＲＡＴの下で配備されたＲＡＮ間のハンドオフを実装するための方法および装置に関する。ＷＴＲＵは、ＲＡＴをサポートするために少なくとも２つの無線ユニットが装備される。それぞれのＲＡＮは、ＲＡＮのカバレッジエリアにコロケートされたＲＡＮ（ｃｏ−ｌｏｃａｔｅｄ  ＲＡＮ）のリストをＷＴＲＵに送信する。ＷＴＲＵは、このリストを格納し、ハンドオフ基準がコロケートされたＲＡＮの１つにより満たされるかどうかを判定する。次いで、ＷＴＲＵは、現在のＲＡＮからターゲットＲＡＮへのハンドオフを、ハンドオフ基準がターゲットＲＡＮによって満たされる場合に開始する。あるいは、ＷＴＲＵは、現在のＲＡＮに測定レポートを送信することができ、これにより現在のＲＡＮは、ハンドオフ基準がコロケートされたＲＡＮの選択された１つによって満たされるかどうかを判定し、ハンドオフ基準が満たされる場合に選択されたＲＡＮへのハンドオフを開始する。
【０００５】
本発明のさらなる詳細な理解は、例示として与えられ、付属の図面とともに理解されるべき好ましい一実施形態の以下の説明から得ることができる。
【図面の簡単な説明】
【０００６】
【図１】本発明により構成された無線通信システムにおけるハンドオフプロセスを示す図である。
【図２】本発明によるＥ−ＵＴＲＡＮからＩ−ＷＬＡＮへのロケーションベースのＷＴＲＵ開始ハンドオフのプロセスのシグナリングの図である。
【図３】本発明によるＥ−ＵＴＲＡＮからＩ−ＷＬＡＮへのパワーベースのＷＴＲＵ開始ハンドオフのプロセスのシグナリングの図である。
【図４】本発明によるブロードキャストなしのＥ−ＵＴＲＡＮからＩ−ＷＬＡＮへのパワーベースのＷＴＲＵ開始ハンドオフのプロセスのシグナリングの図である。
【図５】本発明によるＩ−ＷＬＡＮからＥ−ＵＴＲＡＮへのＷＴＲＵ開始ハンドオフのプロセスのシグナリングの図である。
【図６】本発明によるブロードキャストなしのＩ−ＷＬＡＮからＥ−ＵＴＲＡＮへのＷＴＲＵ開始ハンドオフのプロセスのシグナリングの図である。
【図７】本発明によるＩ−ＷＬＡＮからＥ−ＵＴＲＡＮへのパワーベースのＥ−ＵＴＲＡＮ開始ハンドオフのプロセスのシグナリングの図である。
【発明を実施するための形態】
【０００７】
以降、「ＷＴＲＵ」という用語は、限定はしないが、ユーザー機器（ＵＥ）、移動局、固定または移動加入者ユニット、ポケベル、または無線環境で動作することができる任意の他の種類のデバイスを含む。
【０００８】
本発明の特徴は、集積回路（ＩＣ）に組み込むか、または多数の相互接続コンポーネントを備えた回路に構成することができる。
【０００９】
図１は、複数のＲＡＮ１１０ａ、１１０ｂを含み、異なるＲＡＴの下で配備された無線通信システム１００におけるハンドオフプロセス、およびオールＩＰネットワーク（ＡＩＰＮ）とすることができるコアネットワーク１２０を示している。コアネットワーク１２０は、公衆交換電話網（ＰＳＴＮ）１３０、インターネット１４０などの他のネットワークに接続されている。ＲＡＮ１１０ａ、１１０ｂのそれぞれは、汎用アクセスネットワーク（ＧＡＮ）、ＧＥＲＡＮ、ＵＴＲＡＮ、Ｅ−ＵＴＲＡＮ、ＩＥＥＥベースのインターワーキングＷＬＡＮ（Ｉ−ＷＬＡＮ）、または任意の種類の無線アクセスネットワークとすることができる。
【００１０】
多様なＲＡＮ１１０ａ、１１０ｂの間のモビリティを最適化するために、コアネットワーク１２０は、コアネットワーク１２０のオペレータがＷＴＲＵ１５０を最も好適なＲＡＮ１１０ａ、１１０ｂに仕向けることができるようにするモビリティ管理（ＭＭ）１２２用のオープンインターフェイスを提供する。コアネットワーク１２０は、さらに、ＷＴＲＵ１５０が、セッション制御（ＳＣ）１２４、認証、認可、アカウンティング（ＡＡＡ）１２６、およびポリシー制御１２８などの他のＡＩＰＮサービスにアクセスできるようにするオープンインターフェイスを提供する。
【００１１】
ＷＴＲＵ１５０は、少なくとも２つの異なるＲＡＴとの通信をサポートするように構成された少なくとも２つの無線ユニットを装備するマルチモードＷＴＲＵである。例えば、ＷＴＲＵ１５０は、Ｅ−ＵＴＲＡＮ用の１つの無線ユニットおよびＩ−ＷＬＡＮ用の他の無線ユニットを含むことができる。ＷＴＲＵ１５０は、ＲＡＮの１つに対して接続を確立し、ハンドオフ基準がターゲットＲＡＮにより満たされる場合にターゲットＲＡＮへのハンドオフを実行することができる。
【００１２】
ハンドオフは、手動でまたは自動で開始することができる。ＷＴＲＵ１５０のユーザーによって開始された手動ハンドオフプロセスでは、ユーザーは、代替のＲＡＴが現在の地理的位置に存在することを認識しており、それらを切り換える。自動ハンドオフプロセスは、ＷＴＲＵもしくはＲＡＮ１１０ａ、１１０ｂによって、またはコアネットワーク１２０により開始することができる。
【００１３】
ＷＴＲＵ開始ハンドオフにおいて、ＷＴＲＵ１５０は、代替のＲＡＴの存在を検出し、ＷＴＲＵ１５０のユーザーのプリファレンスに基づいてハンドオフプロセスを開始する。ＷＴＲＵ１５０は、必要な情報（ハンドオフポリシー、リソースステータスなど）をネットワーク（すなわち、ＲＡＮ１１０ｂまたはコアネットワーク１２０）から受信する。ＷＴＲＵ１５０は、ＲＡＮ１１０ａ、１１０ｂのカバレッジエリアのロケーションを追跡し、所定のハンドオフ基準に基づいてハンドオフプロセスを開始する。
【００１４】
システム開始ハンドオフにおいて、コアネットワーク１２０（またはＲＡＮ１１０ａ、１１０ｂ）は、ＷＴＲＵ１５０が複数のＲＡＴをサポートすることができることを認識し、ＷＴＲＵ１５０から必要な情報（電力測定など）を要求する。コアネットワーク１２０（またはＲＡＮ１１０ａ、１１０ｂ）は、ＷＴＲＵ１５０のロケーションを追跡し、ＷＴＲＵ１５０がターゲットＲＡＮのカバレッジエリア内にあると、一組の基準（ＷＴＲＵ１５０のモビリティ、要求された帯域幅、アプリケーション、負荷分散、加入者のプロファイル、ＷＴＲＵ１５０により提供された測定レポートなど）に基づいてハンドオフ手順を開始する。
【００１５】
オペレータは、ローカルで利用可能な第三世代パートナーシッププロジェクト（３ＧＰＰ）および非３ＧＰＰアクセス技術に関係するＷＴＲＵ（オプションとして、ＷＴＲＵからの要求に応じて）アクセスネットワーク間情報を提供することができる。アクセスネットワーク間情報は、ローカルで利用可能な３ＧＰＰおよび非３ＧＰＰアクセス技術に基づくオペレータプリファレンスを含むことができ、情報は、ＷＴＲＵの機能および／または加入に基づいてＷＴＲＵが使用できるアクセス技術および／またはネットワークに制限することができる。
【００１６】
以降、本発明は、Ｅ−ＵＴＲＡＮおよびＩＥＥＥベースのＩ−ＷＬＡＮを参照して説明されるであろう。しかし、本発明は、任意の種類のＲＡＴを使用して任意の種類のＲＡＮに適用可能であることに留意されたい。
【００１７】
図２は、本発明によるロケーションに基づくＥ−ＵＴＲＡＮ１６０からＩ−ＷＬＡＮ１７０へのＷＴＲＵ開始ハンドオフのプロセス２００のシグナリングの図である。ＷＴＲＵ１５０は、現在、Ｅ−ＵＴＲＡＮ１６０にアタッチされており、ブロードキャスト制御チャネル（ＢＣＣＨ）などのＥ−ＵＴＲＡＮチャネルをリッスンしている（ステップ２０２）。Ｅ−ＵＴＲＡＮ１６０は、Ｅ−ＵＴＲＡＮ１６０のカバレッジエリア内で利用可能なＲＡＮのリスト（例えば、Ｉ−ＷＬＡＮ、ＵＴＲＡＮ、ＧＥＲＡＮ、またはＧＡＮ）を送信する（すなわち、ブロードキャスト、マルチキャスト、またはユニキャストする）（ステップ２０４）。ＷＴＲＵ１５０は、このリストを受信し、格納する（ステップ２０６）。ＷＴＲＵ１５０は、次いで、リストにあるＲＡＮのサービスエリアのロケーションに対する要求をＥ−ＵＴＲＡＮ１６０に送信する（ステップ２０８）。Ｅ−ＵＴＲＡＮ１６０は、次いで、ロケーション情報を取り出して、ＷＴＲＵ１５０に送信する（ステップ２１０）。このリストは、サービスエリアロケーション、リストされているＲＡＮによって使用される無線技術、サポートされている周波数およびデータレートなどに関する情報含むことができる。
【００１８】
ＷＴＲＵ１５０は、Ｅ−ＵＴＲＡＮ１６０のカバレッジエリアの辺りを移動するときにそのロケーションを常時モニタする。そのロケーションが代替のＲＡＮ（Ｉ−ＷＬＡＮ１７０など）のカバレッジエリアの範囲内にある場合、ＷＴＲＵ１５０は、ハンドオフ手順をトリガする（ステップ２１２）。ＷＴＲＵ１５０がＩ−ＷＬＡＮ１７０のカバレッジエリアの範囲内にあるとＷＴＲＵ１５０が判定した場合、ＷＴＲＵ１５０は、メッセージをＩ−ＷＬＡＮ１７０に送信してＷＬＡＮサービスを開始する（ステップ２１４）。Ｉ−ＷＬＡＮ１７０が、このメッセージを受信すると、Ｉ−ＷＬＡＮ１７０は、認証手順を開始して、ＷＴＲＵ１５０を認証し、インターワーキングのケースに応じて新しいＩＰアドレスを割り当てることができる（ステップ２１６）。認証メッセージは、Ｉ−ＷＬＡＮ１７０とＥ−ＵＴＲＡＮ１６０との間で交換される（ステップ２１８）。ＷＴＲＵ１５０が認証されると、Ｉ−ＷＴＲＵ１７０は、ＷＬＡＮサービスへのアクセスが許可されたことを示すアクセス許可メッセージをＷＴＲＵ１５０に送信する（ステップ２２０）。ＷＴＲＵ１５０は、次いで、ハンドオフ開始メッセージをＥ−ＵＴＲＡＮ１６０に送信することによりＩ−ＷＬＡＮ１７０へのハンドオフを開始する（ステップ２２２）。Ｉ−ＷＬＡＮ１７０経由でデータをルートするための制御メッセージが、Ｅ−ＵＴＲＡＮ１６０とＩ−ＷＬＡＮ１７０との間で交換される（ステップ２２４）。新しいルートが確立されると、Ｅ−ＵＴＲＡＮ１６０は、ハンドオフ完了メッセージをＷＴＲＵ１５０に送信し（ステップ２２６）、ＷＴＲＵ１５０に提供されるサービスが、Ｉ−ＷＬＡＮ１７０を介して再開される（ステップ２２８）。
【００１９】
プロセス２００は、任意の種類のＲＡＮ間のハンドオフに適用可能である。例えば、プロセス２００は、ＵＴＲＡＮからＩ−ＷＬＡＮへのハンドオフに適用することができる。このような場合、ＵＴＲＡＮは、ＵＴＲＡＮのカバレッジエリアにおいて利用可能なＲＡＮのリストを送信し、ＷＴＲＵは、ＷＴＲＵおよびＩ−ＷＬＡＮのロケーションに基づきこのリストを使用してＵＴＲＡＮからＩ−ＷＬＡＮへのハンドオフをトリガする。
【００２０】
図３は、本発明による電力レベルに基づくＥ−ＵＴＲＡＮ１６０からＩ−ＷＬＡＮ１７０へのＷＴＲＵ開始ハンドオフのプロセス３００のシグナリングの図である。ＷＴＲＵ１５０は、Ｅ−ＵＴＲＡＮ無線ユニット１５２、ＷＬＡＮ無線ユニット１５４、およびハンドオフコントローラ１５６を含み、これによりＷＴＲＵ１５０は、Ｅ−ＵＴＲＡＮ１６０とＩ−ＷＬＡＮ１７０との間でハンドオフを行うことができる。ＷＴＲＵ１５０は、現在、Ｅ−ＵＴＲＡＮ１６０にアタッチされており、Ｅ−ＵＴＲＡＮチャネル（ＢＣＣＨなど）をリッスンしている（ステップ３０２）。Ｅ−ＵＴＲＡＮ１６０は、Ｅ−ＵＴＲＡＮ１６０のカバレッジエリア内で利用可能な他のＲＡＮのリスト（例えば、Ｉ−ＷＬＡＮ、ＵＴＲＡＮ、ＧＥＲＡＮ、またはＧＡＮ）を送信する（すなわち、ブロードキャスト、マルチキャスト、またはユニキャストする）（ステップ３０４）。ＷＴＲＵ１５０のＥ−ＵＴＲＡＮ無線ユニット１５２は、このリストを受信し、格納する（ステップ３０６）。Ｅ−ＵＴＲＡＮ無線ユニット１５２は、次いで、ＷＬＡＮ無線ユニット１５４を初期化する（ステップ３０８）。Ｅ−ＵＴＲＡＮ１６０により提供されるリストは、好ましくは、Ｉ−ＷＬＡＮ１７０の周波数リストを含み、これによりＷＬＡＮ無線ユニット１５４は、周波数リストを使用して利用可能なＷＬＡＮを検索することができる。
【００２１】
ＷＬＡＮ無線ユニット１５４は、次いで初期化され、周波数リストに基づいてＷＬＡＮチャネルをモニタし、Ｉ−ＷＬＡＮ１７０から受信された信号の電力レベルを測定する（ステップ３１０）。ハンドオフコントローラ１５６は、測定された電力レベルが所定の閾値を満たす場合にハンドオフ手順をトリガする（ステップ３１２）。ＷＴＲＵ１５０は、メッセージをＩ−ＷＬＡＮ１７０に送信して、ＷＬＡＮサービスを開始する（ステップ３１４）。
【００２２】
Ｉ−ＷＬＡＮ１７０が、ＷＴＲＵ１５０からこのメッセージを受信すると、Ｉ−ＷＬＡＮ１７０は、認証手順を開始して、ＷＴＲＵ１５０を認証し、インターワーキングのケースに応じて新しいＩＰアドレスを割り振ることができる（ステップ３１６）。認証メッセージは、Ｉ−ＷＬＡＮ１７０とＥ−ＵＴＲＡＮ１６０との間で交換される（ステップ３１８）。ＷＴＲＵ１５０が認証されると、Ｉ−ＷＴＲＵ１７０は、アクセス許可メッセージをＷＴＲＵ１５０に送信する（ステップ３２０）。ＷＬＡＮ無線ユニット１５４は、次いで、ハンドオフ開始メッセージをＥ−ＵＴＲＡＮ無線ユニット１５２に送信する（ステップ３２２）。Ｅ−ＵＴＲＡＮ無線ユニット１５２は、次いで、メッセージをＥ−ＵＴＲＡＮ１６０に送信して、Ｉ−ＷＬＡＮ１７０へのハンドオフを開始する（ステップ３２４）。Ｉ−ＷＬＡＮ１７０経由でデータをルートするための制御メッセージが、Ｅ−ＵＴＲＡＮ１６０とＩ−ＷＬＡＮ１７０との間で交換される（ステップ３２６）。新しいルートが確立されると、Ｅ−ＵＴＲＡＮ１６０は、ハンドオフ完了メッセージをＥ−ＵＴＲＡＮ無線ユニット１５２に送信し、このユニットは、そのメッセージをＷＬＡＮ無線ユニット１５４に転送する（ステップ３２８、３３０）。サービスは、次いで、Ｉ−ＷＬＡＮを介して再開される（ステップ３３２）。
【００２３】
プロセス３００は、任意の種類のＲＡＮ間のハンドオフに適用可能である。例えば、プロセス３００は、ＵＴＲＡＮからＩ−ＷＬＡＮへのハンドオフに適用することができる。このような場合、ＵＴＲＡＮは、ＵＴＲＡＮのカバレッジエリアにおいて利用可能なＲＡＮのリストを送信し、ＷＴＲＵは、ＵＴＲＡＮおよび／またはＩ−ＷＬＡＮからの信号の測定結果に基づきこのリストを使用してＵＴＲＡＮからＩ−ＷＬＡＮへのハンドオフをトリガする。
【００２４】
図４は、本発明による電力レベルに基づくブロードキャストなしのＥ−ＵＴＲＡＮ１６０からＩ−ＷＬＡＮ１７０へのＷＴＲＵ開始ハンドオフのプロセス４００のシグナリングの図である。ＷＴＲＵ１５０は、Ｅ−ＵＴＲＡＮ無線ユニット１５２、ＷＬＡＮ無線ユニット１５４、およびハンドオフコントローラ１５６を含む。現在、ＷＴＲＵ１５０は、Ｅ−ＵＴＲＡＮ１６０にアタッチされ、ＷＬＡＮ無線ユニット１５４は、電源オンにされる（ステップ４０２、４０４）。Ｅ−ＵＴＲＡＮ無線ユニット１５２は、Ｉ−ＷＬＡＮ１７０へのハンドオフの可能性に備えてＷＬＡＮ無線ユニット１５４を初期化する（ステップ４０６）。ＷＴＲＵ１５０は、Ｅ−ＵＴＲＡＮ１６０のカバレッジエリアにある利用可能なＲＡＮを知らないので、ＷＬＡＮ無線ユニット１５４は、何らかの利用可能なＷＬＡＮサービスを見つけるためにＷＬＡＮチャネルをモニタする（ステップ４０８）。ＷＬＡＮ無線ユニット１５４は、何らかのＷＬＡＮチャネルを見つけると、そのＷＬＡＮチャネル上にロックし、そのチャネルを介して信号の電力レベルを測定する（ステップ４１０）。測定された電力レベルが所定の閾値を満たす場合、ハンドオフコントローラ１５６は、ハンドオフ手順をトリガし、ＷＴＲＵ１５０は、メッセージをＩ−ＷＬＡＮ１７０に送信して、ＷＬＡＮサービスを開始する（ステップ４１２）。
【００２５】
Ｉ−ＷＬＡＮ１７０がこのメッセージを受信すると、Ｉ−ＷＬＡＮ１７０は、認証手順を開始し、インターワーキングのケースに応じて新しいＩＰアドレスを割り振ることができる（ステップ４１４）。認証メッセージは、Ｉ−ＷＬＡＮ１７０とＥ−ＵＴＲＡＮ１６０との間で交換される（ステップ４１６）。ＷＴＲＵ１５０が認証されると、Ｉ−ＷＴＲＵ１７０は、アクセス許可メッセージをＷＴＲＵ１５０に送信する（ステップ４１８）。ＷＬＡＮ無線ユニット１５４は、次いで、ハンドオフ開始メッセージをＥ−ＵＴＲＡＮ無線ユニット１５２に送信する（ステップ４２０）。Ｅ−ＵＴＲＡＮ無線ユニット１５４は、次いで、メッセージをＥ−ＵＴＲＡＮ１６０に送信して、Ｉ−ＷＬＡＮ１７０へのハンドオフを開始する（ステップ４２２）。Ｉ−ＷＬＡＮ１７０経由でデータをルートするための制御メッセージは、Ｅ−ＵＴＲＡＮ１６０とＩ−ＷＬＡＮ１７０との間で交換される（ステップ４２４）。新しいルートが確立されると、Ｅ−ＵＴＲＡＮ１６０は、ハンドオフ完了メッセージをＥ−ＵＴＲＡＮ無線ユニット１５２に送信し、このユニットは、そのメッセージをＷＬＡＮ無線ユニット１５４に転送する（ステップ４２６、４２８）。サービスは、次いで、Ｉ−ＷＬＡＮ１７０を介して再開される（ステップ４３０）。
【００２６】
プロセス４００は、任意の種類のＲＡＮ間のハンドオフに適用可能である。例えば、プロセス４００は、ＵＴＲＡＮからＩ−ＷＬＡＮへのハンドオフに適用することができる。このような場合、ＷＴＲＵは、Ｉ−ＷＬＡＮチャネルをモニタし、ＵＴＲＡＮおよび／またはＩ−ＷＬＡＮからの信号の測定結果に基づきＵＴＲＡＮからＩ−ＷＬＡＮへのハンドオフをトリガする。
【００２７】
図５は、本発明によるＩ−ＷＬＡＮ１７０からＥ−ＵＴＲＡＮ１６０へのＷＴＲＵ開始ハンドオフのプロセス５００のシグナリングの図である。ＷＴＲＵ１５０は、Ｅ−ＵＴＲＡＮ無線ユニット１５２、ＷＬＡＮ無線ユニット１５４、およびハンドオフコントローラ１５６を含む。ＷＴＲＵ１５０は、現在、Ｉ−ＷＬＡＮ１７０に接続されており、Ｉ−ＷＬＡＮチャネルをリッスンしている（ステップ５０２）。
【００２８】
Ｉ−ＷＬＡＮ１７０は、Ｉ−ＷＬＡＮ１７０のカバレッジエリア内で利用可能なＥ−ＵＴＲＡＮおよび他のサービスのリストを送信する（すなわち、ブロードキャスト、マルチキャスト、またはユニキャストする）（ステップ５０４）。ＷＴＲＵ１５０は、Ｅ−ＵＴＲＡＮリストを受信し、格納する（ステップ５０６）。ＷＴＲＵ１５０は、Ｅ−ＵＴＲＡＮの追加の情報の要求を送信することができる（ステップ５０８）。Ｉ−ＷＬＡＮ１７０は、次いで、要求された情報を取り出して、ＷＴＲＵ１５０に送信する（ステップ５１０）。追加の情報は、限定はしないが、Ｅ−ＵＴＲＡＮのロケーション、Ｅ−ＵＴＲＡＮによりサポートされる周波数およびデータレートを含む。
【００２９】
Ｅ−ＵＴＲＡＮ１６０へのハンドオフは、ユーザーによって、または信号品質などの所定の基準に基づいてハンドオフコントローラ１５６により自動的に、開始される（ステップ５１２）。ハンドオフが開始された場合、ＷＬＡＮ無線ユニット１５４は、無線初期化信号をＥ−ＵＴＲＡＮ無線ユニット１５２に送信する（ステップ５１４）。Ｅ−ＵＴＲＡＮ無線ユニット１５２は、次いで、アタッチ、登録、コンテキストアクティブ化などを含む、Ｅ−ＵＴＲＡＮサービス初期化手順を開始する（ステップ５１６）。Ｅ−ＵＴＲＡＮ１６０は、次いで、メッセージをＷＴＲＵ１５０に送信して、Ｅ−ＵＴＲＡＮ１６０へのアクセスを許可する（ステップ５１８）。ＷＬＡＮ無線ユニット１５４は、次いで、メッセージをＩ−ＷＬＡＮ１７０に送信して、Ｅ−ＵＴＲＡＮ１６０へのハンドオフを開始する（ステップ５２０）。Ｉ−ＷＬＡＮ１７０経由でデータをルートするための制御メッセージは、Ｅ−ＵＴＲＡＮ１６０とＩ−ＷＬＡＮ１７０との間で交換される（ステップ５２２）。新しいルートが確立されると、Ｉ−ＷＬＡＮ１７０は、ハンドオフ完了メッセージをＷＴＲＵ１５０に送信する（ステップ５２４）。ＷＬＡＮ無線ユニット１５４は、ハンドオフ完了メッセージをＥ−ＵＴＲＡＮ無線ユニット１５２に転送し、このユニットは、肯定応答（ＡＣＫ）で応答する（ステップ５２６、５２８）。次いで、ＷＬＡＮ無線ユニット１５４は、オフにされ（ステップ５３０）、サービスは、Ｅ−ＵＴＲＡＮ１６０を介して再開される（ステップ５３２）。
【００３０】
プロセス５００は、任意の種類のＲＡＮ間のハンドオフに適用可能である。例えば、プロセス５００は、Ｉ−ＷＬＡＮからＵＴＲＡＮへのハンドオフに適用することができる。このような場合、Ｉ−ＷＬＡＮは、Ｉ−ＷＬＡＮのカバレッジエリアにおいて利用可能なＲＡＮのリストを送信し、ＷＴＲＵは、ブロードキャストリストを使用してＩ−ＷＬＡＮからＵＴＲＡＮへのハンドオフをトリガする。
【００３１】
図６は、本発明によるブロードキャストなしのＩ−ＷＬＡＮ１７０からＥ−ＵＴＲＡＮ１６０へのＷＴＲＵ開始ハンドオフのプロセス６００のシグナリングの図である。ＷＴＲＵ１５０は、Ｅ−ＵＴＲＡＮ無線ユニット１５２、ＷＬＡＮ無線ユニット１５４、およびハンドオフコントローラ１５６を含む。ＷＴＲＵ１５０は、現在、Ｉ−ＷＬＡＮ１７０に接続されている。Ｅ−ＵＴＲＡＮ１６０へのハンドオフは、ユーザーによって、または信号品質などの所定の基準に基づいてハンドオフコントローラ１５６により自動的に、開始される（ステップ６０２）。ＷＬＡＮ無線ユニット１５４は、信号をＥ−ＵＴＲＡＮ無線ユニット１５２に送信して、Ｅ−ＵＴＲＡＮ無線ユニット１５２を初期化する（ステップ６０４）。ＷＴＲＵ１５０は、利用可能なＥ−ＵＴＲＡＮを知らないので、Ｅ−ＵＴＲＡＮ無線ユニット１５２は、Ｅ−ＵＴＲＡＮ１６０の１つのチャネルを探索し、チャネルが見つかると、Ｅ−ＵＴＲＡＮチャネル上にロックする（ステップ６０６）。
【００３２】
Ｅ−ＵＴＲＡＮ無線ユニット１５２は、次いで、アタッチ、登録、コンテキストアクティブ化などを含む、Ｅ−ＵＴＲＡＮサービス初期化手順を開始する（ステップ６０８）。Ｅ−ＵＴＲＡＮ１６０がサービスをユーザーに許可することを決定した場合、Ｅ−ＵＴＲＡＮ１６０は、メッセージをＷＴＲＵ１５０に送信して、Ｅ−ＵＴＲＡＮ１６０へのアクセスを許可する（ステップ６１０）。ＷＬＡＮ無線ユニット１５４は、次いで、メッセージをＩ−ＷＬＡＮ１７０に送信して、Ｅ−ＵＴＲＡＮ１６０へのハンドオフを開始する（ステップ６１２）。Ｉ−ＷＬＡＮ１７０経由でデータをルートするための制御メッセージは、Ｅ−ＵＴＲＡＮ１６０とＩ−ＷＬＡＮ１７０との間で交換される（ステップ６１４）。新しいルートが確立されると、Ｉ−ＷＬＡＮ１７０は、ハンドオフ完了メッセージをＷＴＲＵ１５０に送信する（ステップ６１６）。ＷＬＡＮ無線ユニット１５４は、ハンドオフ完了メッセージをＥ−ＵＴＲＡＮ無線ユニット１５２に転送し、このユニットは、ＡＣＫで応答する（ステップ６１８、６２０）。ＷＬＡＮ無線ユニット１５４は、次いで、オフにされ（ステップ６２２）、サービスは、Ｅ−ＵＴＲＡＮ１６０を介して再開される（ステップ６１４）。
【００３３】
プロセス６００は、任意の種類のＲＡＮ間のハンドオフに適用可能である。例えば、プロセス２００は、Ｉ−ＷＬＡＮからＵＴＲＡＮへのハンドオフに適用することができる。
【００３４】
図７は、本発明による電力レベルに基づくＩ−ＷＬＡＮ１７０からＥ−ＵＴＲＡＮ１６０へのＥ−ＵＴＲＡＮ開始ハンドオフのプロセス７００のシグナリングの図である。ＷＴＲＵ１５０は、Ｅ−ＵＴＲＡＮ無線ユニット１５２およびＷＬＡＮ無線ユニット１５４を含む。ＷＴＲＵ１５０は、現在、Ｅ−ＵＴＲＡＮ１６０にアタッチされており、Ｅ−ＵＴＲＡＮチャネル（ＢＣＣＨなど）をリッスンしている（ステップ７０２）。Ｅ−ＵＴＲＡＮ１６０は、Ｅ−ＵＴＲＡＮ１６０のカバレッジエリア内で利用可能なＲＡＮのリスト（例えば、Ｉ−ＷＬＡＮ、ＵＴＲＡＮ、ＧＥＲＡＮ、またはＧＡＮ）を送信する（すなわち、ブロードキャスト、マルチキャスト、またはユニキャストする）（ステップ７０４）。ＷＴＲＵ１５０は、このリストを受信し、格納する（ステップ７０６）。ＷＴＲＵ１５０は、ＲＡＮのサービスエリアロケーションなどの追加の情報の要求を送信する（ステップ７０８）。Ｅ−ＵＴＲＡＮ１６０は、次いで、要求された情報を取り出し、ＷＴＲＵ１５０に送信する（ステップ７１０）。この情報は、サービスエリアロケーション、ＲＡＮによって使用される無線技術、サポートされている周波数およびデータレートなどに関する情報含むことができる。
【００３５】
Ｅ−ＵＴＲＡＮ無線ユニット１５２は、次いで、ＷＬＡＮ無線ユニットが利用可能なＷＬＡＮを探索するのを助ける周波数リストを含むＩ−ＷＬＡＮ情報をＷＬＡＮ無線ユニット１５４に転送し、ＷＬＡＮ無線ユニットを初期化する（ステップ７１２、７１４）。ＷＬＡＮ無線ユニット１５４は、周波数リストに基づいてＷＬＡＮチャネルをモニタし、Ｉ−ＷＬＡＮ１７０からの信号の電力レベルを測定する（ステップ７１６）。ＷＬＡＮ無線ユニット１５４は、Ｅ−ＵＴＲＡＮ無線ユニット１５２に測定レポートを送信し（ステップ７１８）、Ｅ−ＵＴＲＡＮ無線ユニット１５２は、測定レポートをＥ−ＵＴＲＡＮ１６０に転送する（ステップ７２０）。
【００３６】
Ｅ−ＵＴＲＡＮ１６０は、測定レポートに基づいてターゲットＩ−ＷＬＡＮを選択し、ハンドオフプロセスを開始する（ステップ７２２）。Ｅ−ＵＴＲＡＮ１６０は、ターゲットＩ−ＷＬＡＮに関する情報を含むハンドオフトリガメッセージをＷＴＲＵ１５０に送信する（ステップ７２４）。Ｅ−ＵＴＲＡＮ無線ユニット１５２は、情報をＷＬＡＮ無線ユニット１５４に転送する（ステップ７２６）。ＷＬＡＮ無線ユニット１５４は、次いで、この情報に基づきターゲットＷＬＡＮのチャネルを探索し、ターゲットＷＬＡＮにロックする（ステップ７２８）。ＷＬＡＮ無線ユニット１５４は、メッセージをＩ−ＷＬＡＮ１７０に送信して、ＷＬＡＮサービスを開始する（ステップ７３０）。
【００３７】
Ｉ−ＷＬＡＮ１７０がこのメッセージを受信すると、Ｉ−ＷＬＡＮ１７０は、認証手順を開始し、インターワーキングのケースに応じて新しいＩＰアドレスを割り振ることができる。認証メッセージは、Ｉ−ＷＬＡＮ１７０とＥ−ＵＴＲＡＮ１６０との間で交換される（ステップ７３２）。ＷＴＲＵが認証されると、Ｉ−ＷＬＡＮ１７０は、アクセス許可メッセージをＷＴＲＵ１５０に送信する（ステップ７３４）。ＷＬＡＮ無線ユニット１５４は、次いで、ハンドオフ完了メッセージをＥ−ＵＴＲＡＮ無線ユニット１５２に送信する（ステップ７３６）。Ｅ−ＵＴＲＡＮ無線ユニット１５２は、次いで、ハンドオフ完了メッセージをＥ−ＵＴＲＡＮ１６０に転送する（ステップ７３８）。Ｉ−ＷＬＡＮ１７０経由でデータをルートするための制御メッセージは、Ｅ−ＵＴＲＡＮ１６０とＩ−ＷＬＡＮ１７０との間で交換される（ステップ７４０）。新しいルートが確立されると、Ｅ−ＵＴＲＡＮ１６０は、次いで、ＡＣＫをＥ−ＵＴＲＡＮ無線ユニット１５２に送信し（ステップ７４２）、Ｅ−ＵＴＲＡＮ無線ユニット１５２は、ＡＣＫをＷＬＡＮ無線ユニット１５４に転送する（ステップ７４４）。サービスは、次いで、Ｉ−ＷＬＡＮ１７０を介して再開される（ステップ７４６）。
【００３８】
プロセス７００は、任意の種類のＲＡＮ間のハンドオフに適用可能である。例えば、プロセス７００は、ＵＴＲＡＮからＩ−ＷＬＡＮへのハンドオフに適用することができる。このような場合、ＵＴＲＡＮは、ＵＴＲＡＮのカバレッジエリアにある利用可能なＲＡＮのリストを送信し、ＷＴＲＵは、測定結果をＵＴＲＡＮにレポートし、ＵＴＲＡＮは、測定結果に基づきＵＴＲＡＮからＩ−ＷＬＡＮへのハンドオフをトリガする。
実施形態
１．異なる無線アクセス技術（ＲＡＴ）の下で配備された複数のＲＡＮおよびＷＴＲＵを含む無線通信システムにおいて、無線アクセスネットワーク（ＲＡＮ）間のハンドオフを開始する方法。
【００３９】
２．第１のＲＡＮが第１のＲＡＮのカバレッジエリアにおいてコロケートされたＲＡＮを含むリストをＷＴＲＵに送信することを含む実施形態１に記載の方法。
【００４０】
３．ＷＴＲＵが第１のＲＡＮからこのリストを受信し、そのリストを格納することを含む実施形態１および２に記載の方法。
【００４１】
４．ＷＴＲＵが、コロケートされたＲＡＮの１つによりハンドオフ基準が満たされるかどうかを判定し、ハンドオフ基準を満たすコロケートされたＲＡＮの１つを選択することを含む実施形態１〜３に記載の方法。
【００４２】
５．ＷＴＲＵが第１のＲＡＮから選択されたＲＡＮへのハンドオフを開始することを含む実施形態１〜４に記載の方法。
【００４３】
６．ＷＴＲＵが第１のＲＡＮからコロケートされたＲＡＮのサービスエリアロケーションに関する情報を要求し、これによりＷＴＲＵは、選択されたＲＡＮのサービスエリアロケーションが所定の範囲内にある場合に選択されたＲＡＮへのハンドオフを開始することをさらに備える実施形態１〜５に記載の方法。
【００４４】
７．ＷＴＲＵは、ＷＴＲＵが移動するときに選択されたＲＡＮのサービスエリアロケーションが所定の範囲内にあるかどうかを継続的に判定する実施形態６に記載の方法。
【００４５】
８．ＷＴＲＵがコロケートされたＲＡＮおよび第１のＲＡＮから受信された信号の電力レベルを測定し、これによりＷＴＲＵは、選択されたＲＡＮから受信された信号の電力レベルが第１のＲＡＮから受信された信号の電力レベルを超えた場合に選択されたＲＡＮへのハンドオフを開始することをさらに備える実施形態１〜７に記載の方法。
【００４６】
９．ＷＴＲＵがサービスロケーション、無線技術、およびリストにあるコロケートされたＲＡＮの周波数およびデータレートの少なくとも１つを含む追加の情報を要求し、これによりＷＴＲＵは、追加の情報に基づきハンドオフをトリガすることをさらに備える実施形態１〜８に記載の方法。
【００４７】
１０．第１のＲＡＮは、Ｅ−ＵＴＲＡＮであり、コロケートされたＲＡＮは、ＵＴＲＡＮ、ＧＥＲＡＮ、ＧＡＮ、およびＩＥＥＥベースのＩ−ＷＬＡＮの少なくとも１つである実施形態２〜９に記載の方法。
【００４８】
１１．第１のＲＡＮは、ＩＥＥＥベースのＩ−ＷＬＡＮであり、コロケートされたＲＡＮは、Ｅ−ＵＴＲＡＮ、ＵＴＲＡＮ、ＧＥＲＡＮ、およびＧＡＮの１つである実施形態２〜９に記載の方法。
【００４９】
１２．第１のＲＡＮは、ＵＴＲＡＮであり、コロケートされたＲＡＮは、ＩＥＥＥベースのＩ−ＷＬＡＮである実施形態２〜９に記載の方法。
【００５０】
１３．第１のＲＡＮは、ＩＥＥＥベースのＩ−ＷＬＡＮであり、コロケートされたＲＡＮは、ＵＴＲＡＮである実施形態２〜９に記載の方法。
【００５１】
１４．異なるＲＡＴの下で配備された複数のＲＡＮおよびＷＴＲＵを備えた無線通信システム。
【００５２】
１５．ＲＡＮの第１のＲＡＮは、第１のＲＡＮのカバレッジエリアにおいてコロケートされたＲＡＮのリストを送信するように構成された実施形態１４に記載のシステム。
【００５３】
１６．ＷＴＲＵは、第１のＲＡＮからリストを受信するように構成された実施形態１４〜１５に記載のシステム。
【００５４】
１７．ＷＴＲＵは、コロケートされたＲＡＮの１つによりハンドオフ基準が満たされるかどうかを判定するように構成された実施形態１４〜１６に記載のシステム。
【００５５】
１８．ＷＴＲＵは、ハンドオフ基準を満たすコロケートされたＲＡＮの１つを選択するように構成された実施形態１４〜１７に記載のシステム。
【００５６】
１９．ＷＴＲＵは、第１のＲＡＮから選択されたＲＡＮへのハンドオフを開始するように構成された実施形態１４〜１８に記載のシステム。
【００５７】
２０．ＷＴＲＵは、第１のＲＡＮからコロケートされたＲＡＮのサービスエリアロケーションに関する情報を要求し、ＷＴＲＵおよび選択されたＲＡＮのサービスエリアロケーションをモニタし、選択されたＲＡＮのサービスエリアロケーションが所定の範囲内にある場合に選択されたＲＡＮへのハンドオフを開始するように構成された実施形態１４〜１９に記載のシステム。
【００５８】
２１．ＷＴＲＵは、コロケートされたＲＡＮおよび第１のＲＡＮから受信された信号の電力レベルを測定するように構成され、これによりＷＴＲＵは、測定された電力レベルに基づいて選択されたＲＡＮへのハンドオフを開始する実施形態１４〜２０に記載のシステム。
【００５９】
２２．ＷＴＲＵは、サービスエリアロケーション、無線技術、およびコロケートされたＲＡＮの周波数およびデータレートの少なくとも１つを含む追加の情報を要求するように構成され、これによりＷＴＲＵは、追加の情報に基づきハンドオフをトリガする実施形態１４〜２１に記載のシステム。
【００６０】
２３．第１のＲＡＮは、Ｅ−ＵＴＲＡＮであり、コロケートされたＲＡＮは、ＵＴＲＡＮ、ＧＥＲＡＮ、ＧＡＮ、およびＩＥＥＥベースのＩ−ＷＬＡＮの少なくとも１つである実施形態１５〜２２に記載のシステム。
【００６１】
２４．第１のＲＡＮは、ＩＥＥＥベースのＩ−ＷＬＡＮであり、コロケートされたＲＡＮは、Ｅ−ＵＴＲＡＮ、ＵＴＲＡＮ、ＧＥＲＡＮ、およびＧＡＮの少なくとも１つである実施形態１５〜２２に記載のシステム。
【００６２】
２５．第１のＲＡＮは、ＵＴＲＡＮであり、コロケートされたＲＡＮは、ＩＥＥＥベースのＩ−ＷＬＡＮである実施形態１５〜２２に記載のシステム。
【００６３】
２６．第１のＲＡＮは、ＩＥＥＥベースのＩ−ＷＬＡＮであり、コロケートされたＲＡＮは、ＵＴＲＡＮである実施形態１５〜２２に記載のシステム。
【００６４】
２７．異なるＲＡＴの下で配備された複数のＲＡＮおよび少なくとも１つのＷＴＲＵを含む無線通信システムにおいてＲＡＮ間のハンドオフを開始する方法。
【００６５】
２８．第１のＲＡＮが第１のＲＡＮのカバレッジエリアにおいてコロケートされたＲＡＮを含むリストをＷＴＲＵに送信することを備える実施形態２７に記載の方法。
【００６６】
２９．ＷＴＲＵが第１のＲＡＮからこのリストを受信し、そのリストを格納することを含む実施形態２８に記載の方法。
【００６７】
３０．ＷＴＲＵがコロケートされたＲＡＮから受信した信号の品質を測定することを備える実施形態２８〜２９に記載の方法。
【００６８】
３１．ＷＴＲＵが信号品質測定レポートを第１のＲＡＮに送信することを備える実施形態２８〜３０に記載の方法。
【００６９】
３２．第１のＲＡＮが、コロケートされたＲＡＮによりハンドオフ基準が満たされるかどうかを判定し、ハンドオフ基準を満たすコロケートされたＲＡＮの１つを選択することを備える実施形態２８〜３１に記載の方法。
【００７０】
３３．第１のＲＡＮが第１のＲＡＮから選択されたＲＡＮへのハンドオフを開始することを備える実施形態２８〜３２に記載の方法。
【００７１】
３４．ＷＴＲＵが第１のＲＡＮにサービスロケーション、無線技術、およびコロケートされたＲＡＮの周波数およびデータレートの少なくとも１つを含む追加の情報を要求し、これによりＷＴＲＵは、信号品質を測定する際に追加の情報を使用することを備える実施形態２７〜３３に記載の方法。
【００７２】
３５．第１のＲＡＮは、Ｅ−ＵＴＲＡＮであり、コロケートされたＲＡＮは、ＵＴＲＡＮ、ＧＥＲＡＮ、ＧＡＮ、およびＩＥＥＥベースのＩ−ＷＬＡＮの少なくとも１つである実施形態２８〜３４に記載の方法。
【００７３】
３６．第１のＲＡＮは、ＩＥＥＥベースのＩ−ＷＬＡＮであり、コロケートされたＲＡＮは、Ｅ−ＵＴＲＡＮ、ＵＴＲＡＮ、ＧＥＲＡＮ、およびＧＡＮの少なくとも１つである実施形態２８〜３４に記載の方法。
【００７４】
３７．第１のＲＡＮは、ＵＴＲＡＮであり、コロケートされたＲＡＮは、ＩＥＥＥベースのＩ−ＷＬＡＮである実施形態２８〜３４に記載の方法。
【００７５】
３８．第１のＲＡＮは、ＩＥＥＥベースのＩ−ＷＬＡＮであり、コロケートされたＲＡＮは、ＵＴＲＡＮである実施形態２８〜３４に記載の方法。
【００７６】
３９．異なるＲＡＴの下で配備されたＲＡＮおよびＷＴＲＵ備えた無線通信システム。
【００７７】
４０．ＲＡＮの第１のＲＡＮは、第１のＲＡＮのカバレッジエリアにおいてコロケートされたＲＡＮのリストを送信し、ハンドオフ基準が第１のＲＡＮによって受信された測定レポートに基づいて選択されたＲＡＮにより満たされる場合に選択されたＲＡＮへのハンドオフを開始するように構成された実施形態３９に記載のシステム。
【００７８】
４１．ＷＴＲＵは、コロケートされたＲＡＮから受信された信号の品質を測定するように構成され、ＷＴＲＵは、信号品質測定レポートを第１のＲＡＮに送信する実施形態３９〜４０に記載のシステム。
【００７９】
４２．ＷＴＲＵは、第１のＲＡＮにサービスロケーション、無線技術、およびコロケートされたＲＡＮの周波数およびデータレートの少なくとも１つを含む追加の情報を要求するように構成され、これによりＷＴＲＵは、信号品質を測定する際に追加の情報を使用する実施形態３９〜４１に記載のシステム。
【００８０】
４３．第１のＲＡＮは、Ｅ−ＵＴＲＡＮであり、コロケートされたＲＡＮは、ＵＴＲＡＮ、ＧＥＲＡＮ、ＧＡＮ、およびＩＥＥＥベースのＩ−ＷＬＡＮの少なくとも１つである実施形態４０〜４２に記載のシステム。
【００８１】
４４．第１のＲＡＮは、ＩＥＥＥベースのＩ−ＷＬＡＮであり、コロケートされたＲＡＮは、Ｅ−ＵＴＲＡＮ、ＵＴＲＡＮ、ＧＥＲＡＮ、およびＧＡＮの１つである実施形態４０〜４２に記載のシステム。
【００８２】
４５．第１のＲＡＮは、ＵＴＲＡＮであり、コロケートされたＲＡＮは、ＩＥＥＥベースのＩ−ＷＬＡＮである実施形態４０〜４２に記載のシステム。
【００８３】
４６．第１のＲＡＮは、ＩＥＥＥベースのＩ−ＷＬＡＮであり、コロケートされたＲＡＮは、ＵＴＲＡＮである実施形態４０〜４２に記載のシステム。
【００８４】
４７．Ｅ−ＵＴＲＡＮおよびＷＴＲＵを含む無線通信システムにおいてＥ−ＵＴＲＡＮから他のＲＡＮへのハンドオフを開始する方法。
【００８５】
４８．Ｅ−ＵＴＲＡＮがＥ−ＵＴＲＡＮのカバレッジエリアにおいてコロケートされたＲＡＮを含むリストをＷＴＲＵに送信することを備える実施形態４７に記載の方法。
【００８６】
４９．ＷＴＲＵがＥ−ＵＴＲＡＮからこのリストを受信し、そのリストを格納することを備える実施形態４７〜４８に記載の方法。
【００８７】
５０．ＷＴＲＵが、コロケートされたＲＡＮの１つによりハンドオフ基準が満たされるかどうかを判定し、ハンドオフ基準を満たすコロケートされたＲＡＮの１つを選択することを備える実施形態４７〜４９に記載の方法。
【００８８】
５１．ＷＴＲＵがＥ−ＵＴＲＡＮから選択されたＲＡＮへのハンドオフを開始することを備える実施形態４７〜５０に記載の方法。
【００８９】
５２．ＷＴＲＵがＥ−ＵＴＲＡＮからコロケートされたＲＡＮのサービスエリアロケーションに関する情報を要求し、これによりＷＴＲＵは、選択されたＲＡＮのサービスエリアロケーションが所定の範囲内にある場合に選択されたＲＡＮへのハンドオフを開始することを備える実施形態４７〜５１に記載の方法。
【００９０】
５３．ＷＴＲＵがコロケートされたＲＡＮおよびＥ−ＵＴＲＡＮから受信された信号の電力レベルを測定し、これによりＷＴＲＵは、選択されたＲＡＮから受信された信号の電力レベルがＥ−ＵＴＲＡＮから受信された信号の電力レベルを超えた場合に選択されたＲＡＮへのハンドオフを開始することを備える実施形態４７〜５２に記載の方法。
【００９１】
５４．ＷＴＲＵがサービスロケーション、無線技術、およびリストにあるコロケートされたＲＡＮの周波数およびデータレートの少なくとも１つを含む追加の情報を要求し、これによりＷＴＲＵは、追加の情報に基づきハンドオフをトリガすることを備える実施形態４７〜５３に記載の方法。
【００９２】
５５．Ｅ−ＵＴＲＡＮのカバレッジエリアにおいてコロケートされたＲＡＮのリストを送信するように構成されたＥ−ＵＴＲＡＮと、異なるＲＡＴの下で配備された少なくとも１つのコロケートされたＲＡＮと、ＷＴＲＵとを備えた無線通信システム。
【００９３】
５６．ＷＴＲＵは、Ｅ−ＵＴＲＡＮからリストを受信するように構成された実施形態５５に記載のシステム。
【００９４】
５７．ＷＴＲＵは、コロケートされたＲＡＮの１つによりハンドオフ基準が満たされるかどうかを判定するように構成された実施形態５５〜５６に記載のシステム。
【００９５】
５８．ＷＴＲＵは、ハンドオフ基準を満たすコロケートされたＲＡＮの１つを選択するように構成された実施形態５５〜５７に記載のシステム。
【００９６】
５９．ＷＴＲＵは、Ｅ−ＵＴＲＡＮから選択されたＲＡＮへのハンドオフを開始するように構成された実施形態５５〜５８に記載のシステム。
【００９７】
６０．ＷＴＲＵは、Ｅ−ＵＴＲＡＮからコロケートされたＲＡＮのサービスエリアロケーションに関する情報を要求し、ＷＴＲＵおよび選択されたＲＡＮのサービスエリアロケーションをモニタし、選択されたＲＡＮのサービスエリアロケーションが所定の範囲内にある場合に選択されたＲＡＮへのハンドオフを開始するように構成された実施形態５５〜５９に記載のシステム。
【００９８】
６１．ＷＴＲＵは、コロケートされたＲＡＮおよびＥ−ＵＴＲＡＮから受信された信号の電力レベルを測定し、これによりＷＴＲＵは、測定された電力レベルに基づいて選択されたＲＡＮへのハンドオフを開始するように構成された実施形態５５〜６０に記載のシステム。
【００９９】
６２．ＷＴＲＵは、サービスエリアロケーション、無線技術、およびコロケートされたＲＡＮの周波数およびデータレートの少なくとも１つを含む追加の情報を要求し、これによりＷＴＲＵは、追加の情報に基づきハンドオフをトリガするように構成された実施形態５０〜６１に記載のシステム。
【０１００】
６３．Ｅ−ＵＴＲＡＮおよびＷＴＲＵを含む無線通信システムにおいて第２のＲＡＮからＥ−ＵＴＲＡＮへのハンドオフを開始する方法。
【０１０１】
６４．第２のＲＡＮがＥ−ＵＴＲＡＮのカバレッジエリアにおいてコロケートされたＥ−ＵＴＲＡＮを含むリストをＷＴＲＵに送信することを備える実施形態６３に記載の方法。
【０１０２】
６５．ＷＴＲＵが第２のＲＡＮからこのリストを受信し、そのリストを格納することを含む実施形態６３〜６４に記載の方法。
【０１０３】
６６．ＷＴＲＵが、Ｅ−ＵＴＲＡＮによってハンドオフ基準が満たされるかどうかを判定することを備える実施形態６３〜６５に記載の方法。
【０１０４】
６７．ＷＴＲＵが、ハンドオフ基準が満たされる場合に第２のＲＡＮからＥ−ＵＴＲＡＮへのハンドオフを開始することを備える実施形態６３〜６６に記載の方法。
【０１０５】
６８．ＷＴＲＵがサービスロケーション、無線技術、およびＥ−ＵＴＲＡＮの周波数およびデータレートの少なくとも１つを含む追加の情報を要求し、これによりＷＴＲＵは、追加の情報に基づきハンドオフをトリガすることを備える実施形態６３〜６７に記載の方法。
【０１０６】
６９．Ｅ−ＵＴＲＡＮと、Ｅ−ＵＴＲＡＮのカバレッジエリアにおいてコロケートされた少なくとも１つの代替のＲＡＮと、ＷＴＲＵとを備えた無線通信システム。
【０１０７】
７０．代替のＲＡＮは、代替のＲＡＮのカバレッジエリアにおいて利用可能なＥ−ＵＴＲＡＮのリストを送信するように構成された実施形態６９に記載のシステム。
【０１０８】
７１．ＷＴＲＵは、代替のＲＡＮからリストを受信するように構成された実施形態６９〜７０に記載のシステム。
【０１０９】
７２．ＷＴＲＵが、Ｅ−ＵＴＲＡＮによってハンドオフ基準が満たされるかどうかを判定するように構成された実施形態６９〜７１に記載のシステム。
【０１１０】
７３．ＷＴＲＵが、ハンドオフ基準が満たされる場合に代替のＲＡＮからＥ−ＵＴＲＡＮへのハンドオフを開始するように構成された実施形態６９〜７２に記載のシステム。
【０１１１】
７４．ＷＴＲＵは、サービスエリアロケーション、無線技術、およびＥ−ＵＴＲＡＮの周波数およびデータレートの少なくとも１つを含む追加の情報を要求し、これによりＷＴＲＵは、追加の情報に基づきハンドオフをトリガするように構成された実施形態６９〜７３に記載のシステム。
【０１１２】
７５．Ｅ−ＵＴＲＡＮ、Ｉ−ＷＬＡＮ、およびＷＴＲＵを含む無線通信システムにおいてＥ−ＵＴＲＡＮとＩ−ＷＬＡＮとの間のハンドオフを開始する方法。
【０１１３】
７６．ＷＴＲＵがＥ−ＵＴＲＡＮにアタッチされている間にＷＴＲＵがＩ−ＷＬＡＮチャネルをモニタすることを備えた実施形態７５に記載の方法。
【０１１４】
７７．ＷＴＲＵが検出されたＩ−ＷＬＡＮチャネルにロックすることを備えた実施形態７５〜７６に記載の方法。
【０１１５】
７８．ＷＴＲＵが、Ｉ−ＷＬＡＮへのハンドオフの基準が満たされる場合にハンドオフ手順を開始することを備えた実施形態７５〜７７に記載の方法。
【０１１６】
７９．Ｅ−ＵＴＲＡＮと、ＩＥＥＥベースのＩ−ＷＬＡＮと、ＷＴＲＵとを備えた無線通信システム。
【０１１７】
８０．ＷＴＲＵは、Ｅ−ＵＴＲＡＮ無線ユニットを備えた実施形態７９に記載のシステム。
【０１１８】
８１．ＷＴＲＵは、Ｉ−ＷＬＡＮ無線ユニットを備えた実施形態７９〜８０に記載のシステム。
【０１１９】
８２．ＷＴＲＵは、ハンドオフコントローラを備えた実施形態７９〜８１に記載のシステム。
【０１２０】
８３．ハンドオフコントローラは、ＷＴＲＵがＥ−ＵＴＲＡＮにアタッチされている間にＩ−ＷＬＡＮチャネルをモニタするように構成された実施形態８２に記載のシステム。
【０１２１】
８４．ハンドオフコントローラは、検出されたＷＬＡＮチャネルにロックするように構成された実施形態８２〜８３に記載のシステム。
【０１２２】
８５．ハンドオフコントローラは、Ｉ−ＷＬＡＮへのハンドオフの基準が満たされる場合にハンドオフ手順を開始するように構成された実施形態８２〜８４に記載のシステム。
【０１２３】
８６．Ｅ−ＵＴＲＡＮ、Ｉ−ＷＬＡＮ、およびＷＴＲＵを含む無線通信システムにおいてＥ−ＵＴＲＡＮとＩ−ＷＬＡＮとの間のハンドオフを開始する方法。
【０１２４】
８７．ＷＴＲＵがＩ−ＷＬＡＮにアタッチされている間にＷＴＲＵがＥ−ＵＴＲＡＮチャネルをモニタすることを備える実施形態８６に記載の方法。
【０１２５】
８８．ＷＴＲＵが検出されたＥ−ＵＴＲＡＮチャネルにロックすることを備える実施形態８６〜８７に記載の方法。
【０１２６】
８９．ＷＴＲＵが、Ｉ−ＷＬＡＮからＥ−ＵＴＲＡＮへのハンドオフの基準が満たされる場合にハンドオフ手順を開始することを備える実施形態８６〜８８に記載の方法。
【０１２７】
９０．Ｅ−ＵＴＲＡＮと、ＩＥＥＥベースのＩ−ＷＬＡＮと、ＷＴＲＵとを備えた無線通信システム。
【０１２８】
９１．ＷＴＲＵは、Ｅ−ＵＴＲＡＮ無線ユニットを備えた実施形態９０に記載のシステム。
【０１２９】
９２．ＷＴＲＵは、Ｉ−ＷＬＡＮ無線ユニットを備えた実施形態９０〜９１に記載のシステム。
【０１３０】
９３．ＷＴＲＵは、ハンドオフコントローラを備えた実施形態９０〜９２に記載のシステム。
【０１３１】
９４．ハンドオフコントローラは、ＷＴＲＵがＩ−ＷＬＡＮにアタッチされている間にＥ−ＵＴＲＡＮチャネルをモニタするように構成された実施形態９３に記載のシステム。
【０１３２】
９５．ハンドオフコントローラは、検出されたＥ−ＵＴＲＡＮチャネルにロックするように構成された実施形態９３〜９４に記載のシステム。
【０１３３】
９６．ハンドオフコントローラは、Ｅ−ＵＴＲＡＮへのハンドオフの基準が満たされる場合にハンドオフ手順を開始するように構成された実施形態９３〜９５に記載のシステム。
【０１３４】
９７．異なるＲＡＴの下で配備された複数のＲＡＮおよびＷＴＲＵを含む無線通信システムにおいてＲＡＮ間のハンドオフを開始する方法。
【０１３５】
９８．第１のＲＡＮがローカルで利用可能な第三世代パートナーシッププロジェクト（３ＧＰＰ）および非３ＧＰＰアクセス技術に関係するアクセスネットワーク間情報をＷＴＲＵに送信することを備える実施形態９７に記載の方法。
【０１３６】
９９．ＷＴＲＵがアクセスネットワーク間情報を受信し、その情報を格納することを備える実施形態９７〜９８に記載の方法。
【０１３７】
１００．ＷＴＲＵがアクセスネットワーク間情報に基づきハンドオフを開始することを備える実施形態９７〜９９に記載の方法。
【０１３８】
１０１．アクセスネットワーク間情報は、ＷＴＲＵからの要求に応じて提供される実施形態９８〜１００に記載の方法。
【０１３９】
１０２．オペレータプリファレンスは、ローカルで利用可能な３ＧＰＰおよび非３ＧＰＰアクセス技術に基づいてアクセスネットワーク間情報に含まれる実施形態９８〜１０１に記載の方法。
【０１４０】
１０３．アクセスネットワーク間情報は、ＷＴＲＵの機能またはＷＴＲＵ加入またはその両方に基づいてＷＴＲＵが使用できるアクセス技術およびネットワークに制限される実施形態９８〜１０２に記載の方法。
【０１４１】
本発明の特徴および要素は、特定の組合せで好ましい実施形態において説明されているが、それぞれの特徴または要素は、好ましい実施形態の他の特徴および要素なしで単独で、または本発明の他の特徴および要素と共にまたはなしでさまざまな組合せにおいて使用することができる。
【符号の説明】
【０１４２】
１００  無線通信システム
２００  プロセス
３００  プロセス
４００  プロセス
５００  プロセス
６００  プロセス
７００  プロセス
【図１】
2014003643.tif 000003
【図２】
2014003643.tif 000004
【図３】
2014003643.tif 000005
【図４】
2014003643.tif 000006
【図５】
2014003643.tif 000007
【図６】
2014003643.tif 000008
【図７】
2014003643.tif 000009